(57)【特許請求の範囲】
【請求項１】
セット部材と、そのセット部材に開閉可能に設けられたカバー部材とを備え、遊技機における制御基板を収容可能に構成した、遊技機の基板ボックスであって、  前記セット部材と前記カバー部材との間には、封印可能でかつ開封可能な封印部が複数回分設けられ、
前記複数回の封印部のうち、工場で封印する第１回目の封印部の封印は、前記セット部材と前記カバー部材に開封部を介してそれぞれ設けた連結部の接合面を相互に接合する接着手段または溶着手段によって行われ、
前記１回目に封印される封印部を除く残りの封印部の封印は、前記セット部材と前記カバー部材にそれぞれ設けた連結部を、締付け工具によって結合する締結手段によって行われることを特徴とする遊技機の基板ボックス。
【発明の詳細な説明】
【０００１】
【発明の属する技術分野】
本発明は、パチンコ機、アレンジボール機、雀球機、スロットルマシン等の遊技機の基板ボックスに関する。
【０００２】
【従来の技術】
例えば、遊技ホール等に設置されているパチンコ機等の遊技機には、電子部品が実装された制御基板（回路基板とも呼ばれる）を収容した「基板ボックス」が設けられている。この種の基板ボックスでは、その内部の電子部品、例えばＲＯＭが不正に交換されたり、そのＲＯＭに記憶された内容が不正に書き換えられたりする等の不正行為を防止するための封印部が設けられている。
【０００３】
次に、封印部が設けられた基板ボックスの従来例を図面を参照して述べる。図１１は基板ボックスの複数回分の封印部を示す正面図、図１２は図１１のＸＩＩ−ＸＩＩ線断面図、図１３は図１１のＸＩＩＩ−ＸＩＩＩ線断面図である。図１２および図１３に示される基板ボックス１１８は、セット部材１２０と、そのセット部材１２０に開閉可能に設けられたカバー部材１３０とを備えている。また、図示しないが、セット部材１２０とカバー部材１３０によって形成される内部空間には、ＲＯＭ、トランジスタ等の電子部品が実装された制御基板が収容されている。
【０００４】
図１２に示すように、セット部材１２０とカバー部材１３０との間には、セット部材１２０に対しカバー部材１３０を閉じた状態に封印するための封印部１４０が設けられている。封印部１４０は、セット部材１２０側（セット側と略す）の連結部１２４とカバー部材１３０側（カバー側と略す）の連結部１３４とかしめ部材１４２と封印ねじ１４３とを備えている。
【０００５】
前記セット側の連結部１２４は、前記セット部材１２０の外側面に対しほぼ帯板状の開封部（セット側の開封部という）１２２を介して一体状に連設されている。また、前記カバー側の連結部１３４は、前記カバー部材１３０の外側面に対しほぼ帯板状の開封部（カバー側の開封部という）１３２を介して一体状に連設されている（図１１参照）。上記したセット側の連結部１２４とカバー側の連結部１３４とは、セット部材１２０にカバー部材１３０を閉じた状態において前後方向に延びる軸線Ｌ（図１２参照）上に並んでいる。
【０００６】
図１２に示すように、前記かしめ部材１４２は、前記カバー側の連結部１３４内に挿入されて回り止めされた状態に配置されている。かしめ部材１４２の先端部１４２ａは、セット側の連結部１２４内に突出されている。また、前記封印ねじ１４３は、一方向ねじ（ワンウエイねじとも呼ばれている）からなり、前記カバー部材１３０側の連結部１３４側より前記かしめ部材１４２にねじ込まれている。その封印ねじ１４３のねじ込みいわゆるねじ締め作用によって、かしめ部材１４２の先端部１４２ａが押し広げられてセット側の連結部１２４にかしめつけられている。これによって、セット部材１２０にカバー部材１３０が閉じた状態に固定すなわち封印されている。
【０００７】
ところで、前記基板ボックス１１８内の検査等に際しては、セット側の開封部１２２および／またはカバー側の開封部１３２を、例えばニッパーやカッター等の切断工具１４６（図１３参照）によって切断する。これにより、前記封印部１４０の封印が解かれるすなわち開封されることによって、カバー部材１３０を開くことができる。また、基板ボックス１１８からセット側の連結部１２４および／またはカバー側の連結部１３４が切り離されることによって、封印部１４０が開封されたことを目視によって確認することができる。
【０００８】
さらに、前記封印部１４０は、図１１に示すように、複数回数分、例えば４回分に対応する個数すなわち４個並んで配置されている。すなわち、各封印部１４０を１個１個順に封印したり開封したりすることで、基板ボックス１１８を繰り返し使用することができる。
【０００９】
【発明が解決しようとする課題】
上記した従来の基板ボックス１１８では、全ての封印部１４０が同一の封印手段（かしめ部材１４２が相当する）により封印可能でかつ開封可能になっている。
したがって、例えば第１回分の封印部１４０が封印された状態で、かしめ部材１４２の塑性変形を利用して封印ねじ１４３を無理に抜き外すことによって、その封印部１４０が不正に開封されてしまうおそれがあった。また、例えば中古や廃棄された同類の基板ボックスから未使用のかしめ部材１４２を不正に入手することが予測される。このため、封印部１４０の不正な開封時に前記かしめ部材１４２が破損しても、前記不正に入手した未使用のかしめ部材１４２を使用することによって、当該封印部１４０を不正の事実すなわち痕跡を残さずに封印し直されるおそれがあった。
【００１０】
本発明が解決しようとする課題は、複数回分のうちの第１回分の封印部の不正な開封を抑制することのできる遊技機の基板ボックスを提供することにある。
【００１１】
【課題を解決するための手段】
前記課題は、本発明の特許請求の範囲の欄に記載された構成を要旨とする遊技機の基板ボックスにより解決することができる。すなわち、特許請求の範囲の請求項１に記載された遊技機の基板ボックスによると、セット部材にカバー部材が閉じられ、遊技機における制御基板が収容される。そして、複数回分のうちの第１回分の封印部から順に封印手段により封印と開封が繰り返される。ところで、複数回分のうちの工場で封印する第１回分の封印部の封印が接着手段または溶着手段で行われ、残りの封印部の封印が締結手段で行われる。これにより、残りの封印部に用いる締結手段を利用して第１回分の封印部を不正に封印し直すことが防止される。したがって、複数回分のうちの第１回分の封印部が開封されると、不正に封印し直すことが困難であり、また、その開封の痕跡を目視によって容易に発見し得ることの相乗効果によって、複数回分のうちの第１回分の封印部の不正な開封を抑制することができる。
【００１２】
【００１３】
【００１４】
【００１５】
【００１６】
【発明の実施の形態】
［実施の形態１］
本発明の実施の形態１を説明する。本実施の形態では、遊技機の一つであるパチンコ機に本発明を適用したものを例示する。まず、基板ボックスの説明に先だって、パチンコ機の基本的な構成を述べる。なお、パチンコ機の基本的な構成は、周知のパチンコ機とほとんど同様であるから簡単に述べるにとどめる。図１はパチンコ機を後方側から見た斜視図である。なお、パチンコ機における方位は、図１に矢印で示すように定める。
【００１７】
図１において、パチンコ機１は、外枠体２と前枠４と遊技盤ユニット１６を備えている。外枠体２は、ほぼ矩形枠状に形成されている。前枠４は、ほぼ額縁状に形成されており、外枠体２の前面側（正面側という）にヒンジ機構３によって開閉可能に設けられている。前枠４の後面側（背面側という）には、ほぼ矩形枠状の支持枠６が設けられている。
【００１８】
前記遊技盤ユニット１６は、前記支持枠６に対しその後面側から取外し可能に嵌込まれた後、裏セット部材８によって固定されている。裏セット部材８は、前枠４の後面側にヒンジ機構（図示省略）によって開閉可能に設けられている。裏セット部材８の開閉側端部は、支持枠６に設けられた適数個の留め具７によって閉じた状態に保持される。遊技盤ユニット１６は、その前面側に遊技盤（図示省略）を備えている。遊技盤の前面側には、図示しないが、球案内レール、遊技構成部材としての各種の入賞装置、役物装置、図柄表示装置、アタッカ装置、ゲート口、風車器、誘導釘等が配設されている。
【００１９】
前記裏セット部材８の後面側には、球タンク９、タンクレール１０、球払出装置１２、電源基板ボックス１４等が設けられている。電源基板ボックス１４内には、図示しないが、外部電源を所要の電圧に調整するための電子部品が実装された電源基板が収容されている。
【００２０】
前記前枠４の前面側には、図示しないが、遊技盤の遊技領域を透視可能とする透視板を有する表枠５が設けられている。また、前枠４の前面側には、上皿を有する下板、下皿等が設けられている。なお、前枠４の下端部には、球発射用の発射ハンドル装置１３が設けられている。
【００２１】
前記遊技盤ユニット１６の後面側には、裏カバー部材１５が設けられている。
裏カバー部材１５の後面側には、主基板ボックス１８と副基板ボックス１９が設けられている。各基板ボックス１８，１９には、それぞれ所要の電子部品が実装された制御基板（図示省略）が収容されている。
【００２２】
次に、前記主基板ボックス１８について詳述する。主基板ボックス１８は、本発明が対象とする基板ボックスに相当しているため、単に「基板ボックス」ともいう。図１に示される基板ボックス１８は、セット部材２０と、そのセット部材２０にヒンジ手段（図示省略）によって開閉可能に設けられたカバー部材３０とを備える薄型のボックス状に形成されている。
【００２３】
前記基板ボックス１８内には、前記遊技機（図１参照）における制御基板（図示省略）が収容されている。セット部材２０およびカバー部材３０は、合成樹脂成形品によって形成されている。なお、基板ボックス１８は、前記裏カバー部材１５に取外し可能に設けられている。また、図示しないが、制御回路の前面側には、前記遊技盤（図示省略）に配設された入賞装置、役物装置、図柄表示装置、アタッカ装置等の作動を制御するための回路素子いわゆる電子部品が実装されている。
【００２４】
前記セット部材２０と前記カバー部材３０との間には、そのセット部材２０に対しカバー部材３０を閉じた状態に封印するために、左右それぞれに複数回数分、例えば４回分に対応する個数の封印部４０が設けられている。なお、図２は基板ボックスを示す正面図、図３は右側に配置された基板ボックスの複数回分の封印部を示す正面図である。また、説明の都合上、基板ボックス１８における方位は、図２及び図３に矢印で示すように定める。このため、基板ボックス１８における前後左右は、パチンコ機１（図１参照）の前後左右とは逆向きになっている。
【００２５】
図２および図３において、前記各封印部４０は、上から下へ順に第１回分の封印部４０（末尾に（１）を付す）、第２回分の封印部４０（末尾に（２）を付す）、第３回分の封印部４０（末尾に（３）を付す）、第４回分の封印部４０（末尾に（４）を付す）に設定されている。また、カバー部材３０の前面には、各封印部４０の封印順位を示す「１，２，３，４」の封印番号が付されている。
【００２６】
前記４回分の封印部４０のうち第１回分の封印部４０（１）は、以下に詳述するように、残りの回数分すなわち第２〜４回分の封印部４０（２）、４０（３）、４０（４）の封印に用いる封印手段とは異なる封印手段により封印可能となっている。なお、説明の都合上、第２回分の封印部４０（２）を先に説明した後で第１回分の封印部４０（１）を説明することにする。また、第２回分の封印部４０（２）と同一の構成である第３，４回分の封印部４０（３）、４０（４）の説明は省略する。
【００２７】
まず、第２回分の封印部４０（２）から説明する。図４は第２回分の封印部を示すもので、図３のＩＶ−ＩＶ線断面図、図５は第２回分の封印部を未封印状態で示すもので、図４に準じる断面図である。図５に示すように、第２回分の封印部４０（２）は、セット部材２０側（セット側と略す）の連結部２４とカバー部材３０側（カバー側と略す）の連結部３４とかしめ部材４２と封印ねじ４３とを備えている。
【００２８】
前記セット側の連結部２４は、ほぼ筒形状に形成されており、前記セット部材２０の外側面に対しほぼ帯板状の開封部（セット側の開封部という）２２を介して連設されている。セット側の連結部２４は、セット部材２０に一体成形によって形成されている。また、前記カバー側の連結部３４は、ほぼ筒形状に形成されており、前記カバー部材３０の外側面に対しほぼ帯板状の開封部（カバー側の開封部という）３２を介して連設されている。カバー側の連結部３４は、カバー部材３０に一体成形によって形成されている。
【００２９】
前記セット側の連結部２４と前記カバー側の連結部３４とは、セット部材２０にカバー部材３０を閉じた状態において、前後方向に延びる軸線Ｌ２（図５参照）上に並んでいる。すなわち、セット側の連結部２４の前側（図５において下側）にカバー側の連結部３４が並んでいる。なお、前記従来例（図１３参照）と同様に、第２回分の封印部４０（２）のセット側の開封部２２とカバー側の開封部３２の各断面における長手方向は前後方向に延びている。
【００３０】
図５に示すように、前記かしめ部材４２は、中空のリベット状に形成されており、カバー側の連結部３４内に挿入されて回り止めされた状態に配置されている。かしめ部材４２の先端部４２ａは、セット側の連結部２４内に突出されているとともに、その内径を小さい口径とする絞り部４２ｂを有している。かしめ部材４２は、塑性変形可能な金属材料によって形成されている。
【００３１】
前記封印ねじ４３は、一方向ねじ（ワンウエイねじとも呼ばれている）からなり、前記カバー側の連結部３４側より前記かしめ部材４２内にねじ込まれ、いわゆるねじ締められている。封印ねじ４３は、締付け方向に関してはドライバー等の締付け工具４５（図４参照）によりねじ込むことができるが、緩め方向に関しては緩めることができない構成のねじである。
【００３２】
すなわち、前記封印ねじ４３が図５の状態から図４に示すように、ドライバー等の締付け工具４５（図４参照）によりかしめ部材４２内にねじ締められると、そのねじ締め作用によって、かしめ部材４２の絞り部４２ｂが押し広げられる。これにより、かしめ部材４２の先端部４２ａが外径を大きくする方向へ塑性変形されてセット側の連結部２４にかしめつけられ、両連結部２４，３４が結合される。これによって、セット部材２０にカバー部材３０が閉じた状態に固定すなわち封印される。なお、封印ねじ４３は、本明細書でいう「ねじ部材」に相当する。また、かしめ部材４２は、本明細書でいう「封印手段」に相当するとともに、「ねじ部材のねじ締め作用によりかしめられて両連結部を結合する締結手段」に相当する。
【００３３】
ところで、前記かしめ部材４２によって封印された封印部４０（２）は、前記基板ボックス１８内の立ち入り検査等に際しては、従来例と同様に開封される。すなわち、セット側の開封部２２および／またはカバー側の開封部３２を、例えばニッパーやカッター等の切断工具（図示省略）によって切断する。これにより、封印部４０（２）が開封される。このとき、基板ボックス１８からセット側の連結部２４／またはカバー側の連結部３４が切り離されることによって、封印部４０（２）が開封されたことを目視によって確認することができる。
【００３４】
次に、第１回分の封印部４０（１）を説明する。図６は第１回分の封印部を示すもので、図３のＶＩ−ＶＩ線断面図である。図６に示すように、第１回分の封印部４０（１）は、セット部材２０側（セット側と略す）の連結部２８と、カバー部材３０側（カバー側と略す）の連結部３８とを備えている。
【００３５】
前記セット側の連結部２８は、ほぼ筒形状に形成されており、前記セット部材２０の外側面に対しほぼ帯板状のセット側の開封部２６を介して連設されている。セット側の連結部２８における中空部２８ａの前側の開口端面は、接合板部２９によって閉塞されている。セット側の連結部２８は、セット部材２０に一体成形によって形成されている。なお、セット側の開封部２６および連結部２８の前端面は、前記カバー部材３０に対するセット部材２０の合わせ面と同一平面をなしている。
【００３６】
また、前記カバー側の連結部３８は、ほぼ筒形状に形成されており、前記カバー部材３０の外側面に対しほぼ帯板状のカバー側の開封部３６を介して連設されている。カバー側の連結部３８における中空部３８ａの後側の開口端面は、接合板部３９によって閉塞されている。カバー側の連結部３８は、カバー部材３０に一体成形によって形成されている。なお、カバー側の開封部３６および連結部３８の後端面は、前記セット部材２０に対するカバー部材３０の合わせ面と同一平面をなしている。
【００３７】
前記セット側の連結部２８と前記カバー側の連結部３８とは、セット部材２０にカバー部材３０を閉じた状態において、前後方向に延びる軸線Ｌ１（図６参照）上に並んでいる。すなわち、セット側の連結部２８の前側（図６において下側）にカバー側の連結部３８が並んでいる。なお、前記従来例（図１３参照）および前記第２回分の封印部４０（２）と同様に、第１回分の封印部４０（１）のセット側の開封部２６とカバー側の開封部３６の各断面における長手方向は前後方向に延びている。
【００３８】
前記セット側の連結部２８と前記カバー側の連結部３８とは、その合わせ面すなわち接合面（符号省略）が接着手段５０により、相互に接合されることによって結合される。これによって、セット部材２０にカバー部材３０が閉じた状態に固定すなわち封印される。
【００３９】
しかして、前記接着手段５０は、接着剤を用いる接着手段が相当する。また、接着手段５０に代えて、振動溶着等の溶着技術を利用する溶着手段を用いることができる。なお、接着手段（または溶着手段）５０は本明細書でいう「両連結部を相互に接合可能な封印手段」に相当する。ちなみに、接着手段（または溶着手段）５０による封印は、基板ボックス１８の立ち入り検査時のように即時にかつ容易に封印する必要がないため、基板ボックス１８の製造時に工場等において適確に実施することができるので好都合である。
【００４０】
ところで、前記接着手段（または溶着手段）５０によって封印された封印部４０（１）は、前記基板ボックス１８内の立ち入り検査等に際しては、前記従来例および前記第２回分の封印部４０（２）と同様に開封される。すなわち、セット側の開封部２６および／またはカバー側の開封部３６を、例えばニッパーやカッター等の切断工具（図示省略）によって切断する。これにより、封印部４０（１）が開封される。このとき、基板ボックス１８からセット側の連結部２８／またはカバー側の連結部３８が切り離されることによって、封印部４０（１）が開封されたことを目視によって確認することができる。
【００４１】
上記した遊技機の基板ボックス１８（図１参照）によると、セット部材２０にカバー部材３０が閉じられ、遊技機における制御基板が収容される。そして、複数回分（本実施の形態の場合、４回分）のうちの第１回分の封印部４０（１）から順に封印手段である接着手段（または溶着手段）５０、かしめ部材４２による封印と、セット側の開封部２２および／またはカバー側の開封部３２、または、セット側の開封部２６および／またはカバー側の開封部３６の切断による開封が以下のように繰り返される。
【００４２】
すなわち、まず、第１回分の封印部４０（１）において、セット側の連結部２８とカバー側の連結部３８が、前に述べたように、接着手段（または溶着手段）５０によって相互に接合されることによって結合される（図６参照）。これによって、第１回分の封印部４０（１）の封印がなされる。
【００４３】
次に、基板ボックス１８内の検査等に際して前記第１回分の封印部４０（１）を開封する場合には、前に述べたように、セット側の開封部２６および／またはカバー側の開封部３６をニッパーやカッター等の切断工具（図示省略）で切断すればよい。
【００４４】
そして、再び、前記基板ボックス１８を封印する場合には、第２回分の封印部４０（２）において、前に述べたように、封印ねじ４３をかしめ部材４２にねじ締める。すると、封印ねじ４３のねじ締め作用により、かしめ部材４２がかしめられ、セット側の連結部２４とカバー側の連結部３４が結合される（図４参照）。これによって、第２回分の封印部４０（２）の封印がなされる。
【００４５】
次に、基板ボックス１８内の検査等に際して前記第２回分の封印部４０（２）を開封する場合には、前に述べたように、セット側の開封部２２および／またはカバー側の開封部３２をニッパーやカッター等の切断工具（図示省略）で切断すればよい。
【００４６】
その後、第２回分の封印部４０（２）と同様にして、第３回分の封印部４０（３）の封印と開封、第４回分の封印部４０（４）の封印と開封が逐次行われる。
【００４７】
上記したように、本実施の形態の遊技機の基板ボックス１８によると、第１回分の封印部４０（１）が、残りの封印部４０（２），４０（３），４０（４）の封印に用いる封印手段（かしめ部材４２）とは異なる封印手段である接着手段（または溶着手段）５０により封印される。そして、第１回分の封印部４０（１）は、いずれかの開封部２６，３６を切断するか、両連結部２８，３８を剥がすことにより開封することができるが、何れの場合もどこかに破損をきたすことになる。このため、第１回分の封印部４０（１）を開封の痕跡を残さずに不正に開封することは困難である。また、一度開封した第１回分の封印部４０（１）は、残りの封印部４０（２），４０（３），４０（４）に用いる封印手段（例えば、かしめ部材４２）を利用して不正に封印し直すことができない。したがって、４回分のうちの第１回分の封印部４０（１）が開封されると、不正に封印し直すことが困難であり、また、その開封の痕跡を目視によって容易に発見し得ることの相乗効果によって、複数回分のうちの第１回分の封印部４０（１）の不正な開封を抑制することができる。
【００４８】
また、第１回分を除いた残りの封印部４０（２），４０（３），４０（４）が、セット部材２０とカバー部材３０に設けた両連結部２４，３４を封印ねじ４３のねじ締め作用によりかしめられて結合する締結手段（かしめ部材４２）により封印される。したがって、基板ボックス１８の立ち入り検査等において、次回分の封印部４０（２），４０（３），４０（４）を、封印ねじ４３のねじ締め作用によりかしめられて結合する締結手段（かしめ部材４２）によって即時にかつ容易に封印することができる。
【００４９】
また、第１回分の封印部４０（１）が、セット部材２０とカバー部材３０に設けた両連結部２８，３８を相互に接合する接着手段（または溶着手段）５０により封印される。したがって、第１回分の封印部４０（１）の封印手段（接着手段（または溶着手段）５０）に、中古や廃棄された基板ボックスから不正に入手可能な部品（例えば、かしめ部材４２）が存在しない。このため、第１回分の封印部４０（１）を開封すれば必然的に開封の痕跡が残るとともに、その開封された第１回分の封印部４０（１）を不正に封印し直すことができない。
【００５０】
［実施の形態２］
本発明の実施の形態２を説明する。実施の形態２は、上記した実施の形態１の一部すなわち第１回分の封印部４０（１）に変更を加えたものであるからその変更部分について詳述し、重複する説明は省略する。図７は基板ボックス１８の第１回分の封印部４０（１）を示すもので、図６に準じる断面図である。
【００５１】
すなわち、図７に示すように、第１回分の封印部４０（１）のセット側の連結部２８とカバー側の連結部２８との接合面（符号省略）には、相互に嵌合可能な凹凸部が設けられている。詳しくは、セット側の連結部２８の接合面には、適数個（図は３個を示す）の断面四角形状の凸部２８２が所定間隔毎に形成されている。また、カバー側の連結部３８の接合面には、前記各凸部２８２を嵌合可能な各凹部３８２が形成されている。
【００５２】
前記セット側の連結部２８の各凸部２８２とカバー側の連結部３８の各凹部３８２とを嵌合した状態で、セット側の連結部２８とカバー側の連結部３８とが接着手段（または溶着手段）５０によって結合される。
【００５３】
上記した実施の形態２の遊技機の基板ボックス１８によっても、前記実施の形態１と同様の作用効果が得られる。また、第１回分の封印部４０（１）において両連結部２８，３８が接着手段（または溶着手段）５０により接合される際に、両連結部２８，３８の接合面に設けられた凹凸部すなわち凸部２８２および凹部３８２が相互に嵌合される。したがって、第１回分の封印部４０（１）の両連結部２８，３８の接合位置を容易に位置決めすることができるとともに、両連結部２８，３８相互の接合面積が増大されることにより両連結部２８，３８間の接着手段（または溶着手段）５０の接合力を強化することができる。
【００５４】
［実施の形態３］
本発明の実施の形態３を説明する。実施の形態３は、上記した実施の形態１の一部すなわち第１回分の封印部４０（１）に変更を加えたものであるからその変更部分について詳述し、重複する説明は省略する。図８は基板ボックス１８の複数回分の封印部を示す正面図、図９は第１回分の封印部を示すもので、図８のＩＸ−ＩＸ線断面図である。
【００５５】
すなわち、図９に示すように、第１回分の封印部４０（１）のセット側の連結部２８とカバー側の連結部２８との接合面（符号省略）には、相互に嵌合可能な凹凸部が設けられている。詳しくは、セット側の連結部２８の接合面には、ほぼ柱状の凸部２８３が形成されている。凸部２８３はその連結部２８の中空部２８ａに連続する中空状をなしており、該凸部２８３の前側の開口端面が接合板部２９３によって閉塞されている。また、カバー側の連結部３８の接合面には、前記凸部２８３を嵌合可能な凹部３８３が形成されている。凹部３８２の前側の開口端面が接合板部３９３によって閉塞されている。該接合板部３９３は前記カバー側の連結部３８の前端面を形成している（図８参照）。
【００５６】
前記セット側の連結部２８の凸部２８３とカバー側の連結部３８の凹部３８３とを嵌合した状態で、セット側の連結部２８とカバー側の連結部３８とが接着手段（または溶着手段）５０によって結合される。
【００５７】
上記した実施の形態３の遊技機の基板ボックス１８によっても、前記実施の形態１と同様の作用効果が得られる。また、第１回分の封印部４０（１）において両連結部２８，３８が接着手段（または溶着手段）５０により接合される際に、両連結部２８，３８の接合面に設けられた凹凸部すなわち凸部２８３および凹部３８３が相互に嵌合される。したがって、第１回分の封印部４０（１）の両連結部２８，３８の接合位置を容易に位置決めすることができるとともに、両連結部２８，３８相互の接合面積が増大されることにより両連結部２８，３８間の接着手段（または溶着手段）５０の接合力を強化することができる。
【００５８】
［実施の形態４］
本発明の実施の形態４を説明する。実施の形態４は、上記した実施の形態３の一部すなわち第１回分の封印部４０（１）に変更を加えたものであるからその変更部分について詳述し、重複する説明は省略する。図１０は基板ボックス１８の第１回分の封印部４０（１）を示すもので、図９に準じる断面図である。
【００５９】
すなわち、図１０に示すように、第１回分の封印部４０（１）のセット側の連結部２８の凸部２８３に代えてほぼ突片状の左右の係止片（符号、２８４を付す）が弾性変形いわゆる撓み変形可能に形成されている（図１０中、二点鎖線２８４参照）。各係止片２８４の先端部の外側面には、それぞれ係止爪２８５が形成されている。係止爪２８５は、係止片２８４の外側面に対して段付面をなす係止面２８５ａと、その係止面２８５ａの先端から係止片２８４の先端に向かって先細り状をなす案内面２８５ｂとを有するほぼ山形状に形成されている。
【００６０】
また、カバー側の連結部３８における凹部３８３内の対向する壁面３８３ａには、前記各係止片２８４の係止爪２８５にそれぞれ対応する係合溝３８４が形成されている。各係合溝３８４には、前記各係止爪２８５の係止面２８５ａと面接触状に対向する上側の係止面（符号省略）が形成されている。
【００６１】
そして、セット側の連結部２８の各係止片２８４をカバー側の連結部３８の凹部３８３内に嵌合させる。すると、凹部３８３の開口端縁に対し各係止片２８４の係止爪２８５の案内面２８５ｂが当接したのち摺動していくことによって該係止片２８４が撓み変形（図１０中、二点鎖線２８４参照）されていく。その後、各係止片２８４の係止爪２８５の案内面２８５ｂと係止面２８５ａとによる頂部（符号省略）が凹部３８３の内の対向する壁面３８３ａを摺動し、該頂部が凹部３８３の各係合溝３８４の上側の係止面（符号省略）を通過する。これにより、各係止片２８４が弾性復元することによって、係止爪２８５が凹部３８３の各係合溝３８４内に係合する。
【００６２】
したがって、係止片２８４を凹部３８３から抜き外そうとしても、係止爪２８５の係止面２８５ａと凹部３８３の上側の係止面（符号省略）とが相互に当接し合うことによって、係止片２８４を凹部３８３から抜き外すこと、すなわち係合を解除することができない。なお、係止爪２８５を有する係止片２８４と係合溝３８４とは、本明細書でいう「両連結部を弾性変形を利用して相互に解除不能に係合可能な係合手段」および「封印手段」を構成している。
【００６３】
上記した実施の形態４の遊技機の基板ボックス１８によっても、前記実施の形態３と同様の作用効果が得られる。また、第１回分の封印部４０（１）は、セット部材２０とカバー部材３０に設けた両連結部２４，３４を弾性変形を利用して相互に解除不能に係合する係合手段によって容易に封印することができる。
【００６４】
本発明は上記した実施の形態に限定されるものではなく、本発明の要旨を逸脱しない範囲における変更が可能である。例えば、本発明は、主基板ボックス１８に限らず、副基板ボックス１９、その他の基板ボックスにも適用することができる。また、前記した実施の形態においては、遊技機がパチンコ機１である場合を例示したが、これに限定するものではなく、例えば、アレンジボール機、雀球機、スロットマシン等の遊技機に対しても適用することができる。また、セット側の開封部２２とカバー側の開封部３２のどちらか一方の開封部は省略することができる。また、セット側の開封部２６とカバー側の開封部３６のどちらか一方の開封部は省略することができる。
【００６５】
また、封印部４０は、４回分に限らず、２回分あるいは３回分あるいは５回分以上設けることができる。また、複数回分のうちの第１回分の封印部が残りの封印部の封印に用いる封印手段とは異なる封印手段により封印されるものであればよく、各封印手段は前記実施の形態の封印手段に限定されるものではない。また、第１回分の封印部４０（１）のセット側の連結部２８とカバー側の連結部２８との接合面に設けた凹凸部は、上記実施の形態の形状に限定されるものではなく、適宜の形状に変更することができる。
【００６６】
【発明の効果】
以上、詳述したように、本発明によれば、複数回分のうちの第１回分の封印部が開封されると、不正に封印し直すことが困難であり、また、その開封の痕跡を目視によって容易に発見し得ることの相乗効果によって、複数回分のうちの第１回分の封印部の不正な開封を抑制することができる。
【図面の簡単な説明】
【図１】  本発明の実施の形態１にかかるパチンコ機を後方側から見た斜視図である。
【図２】  基板ボックスを示す正面図である。
【図３】  基板ボックスの複数回分の封印部を示す正面図である。
【図４】  第２回分の封印部を示すもので、図３のＩＶ−ＩＶ線断面図である。
【図５】  第２回分の封印部を未封印状態で示すもので、図４に準じる断面図である。
【図６】  第１回分の封印部を示すもので、図３のＶＩ−ＶＩ線断面図である。
【図７】  本発明の実施の形態２にかかる基板ボックスの第１回分の封印部を示すもので、図６に準じる断面図である。
【図８】  本発明の実施の形態３にかかる基板ボックスの複数回分の封印部を示す正面図である。
【図９】  第１回分の封印部を示すもので、図８のＩＸ−ＩＸ線断面図である。
【図１０】  本発明の実施の形態４にかかる基板ボックスの第１回分の封印部を示すもので、図９に準じる断面図である。
【図１１】  従来の技術にかかる基板ボックスの複数回分の封印部を示す正面図である。
【図１２】  図１１のＸＩＩ−ＸＩＩ線断面図である。
【図１３】  図１１のＸＩＩＩ−ＸＩＩＩ線断面図である。
【符号の説明】
１  パチンコ機（遊技機）
１８  基板ボックス
２０  セット部材
２４  セット側の連結部
２８  セット側の連結部
２８２  凸部
２８３  凸部
２８４  係止片
３０  カバー部材
３４  カバー側の連結部
３８  カバー側の連結部
３８２  凹部
３８３  凹部
３８４  係止溝
４０  封印部
４２  かしめ部材（封印手段、締結手段）
４３  封印ねじ（ねじ部材）
５０  接着手段または溶着手段（封印手段）
【図１】
0004092428.tif 000002
【図２】
0004092428.tif 000003
【図３】
0004092428.tif 000004
【図４】
0004092428.tif 000005
【図５】
0004092428.tif 000006
【図６】
0004092428.tif 000007
【図７】
0004092428.tif 000008
【図８】
0004092428.tif 000009
【図９】
0004092428.tif 000010
【図１０】
0004092428.tif 000011
【図１１】
0004092428.tif 000012
【図１２】
0004092428.tif 000013
【図１３】
0004092428.tif 000014